(57)【要約】【課題】電線の中間部に存在する枝線との接合部を絶縁体で保護でき、さらに、枝線に加わる引っ張り力により電線の接合が外れる不都合を回避できること。【解決手段】電線保護具１０は、第１の電線９１及び第２の電線９２の接合部８０を挟み込んで組み合わされる２つの絶縁部材１００からなる。電線保護具１０には、第２の電線９２が引っ掛けられ第２の電線９２を外縁に沿って折り返された状態で支持する支持部１１が形成されている。支持部１１における第２の電線９２が沿う外縁は、全ての角が鈍角である多角形の各角部を形成する。【選択図】図１
2013009547.tif 000002
【特許請求の範囲】
【請求項１】
第１の電線及び該第１の電線の中間部に接合された第２の電線を備えたワイヤハーネスに取り付けられ、前記第１の電線及び前記第２の電線の接合部を保護する電線保護具であって、
前記第１の電線及び前記第２の電線の接合部を挟み込んで組み合わされる２つの絶縁部材からなり、
前記第２の電線が引っ掛けられ前記第２の電線を外縁に沿って折り返された状態で支持する支持部が形成されていることを特徴とする電線保護具。
【請求項２】
前記支持部における前記第２の電線が沿う外縁は、全ての角が鈍角である多角形の各角部を形成する、請求項１に記載の電線保護具。
【請求項３】
前記支持部は、全ての角が鈍角である多角形の各角部を形成する複数の単位支持部からなる、請求項２に記載の電線保護具。
【請求項４】
前記２つの絶縁部材を組み合わされた状態で保持するロック部がさらに形成されている、請求項１から請求項３のいずれかに記載の電線保護具。
【請求項５】
前記支持部の両端部から前記第２の電線が配設される領域の両側を遮って張り出して形成され、前記支持部の端から外側への前記第２の電線の位置ずれを制限する第１の規制部がさらに形成されている、請求項１から請求項４のいずれかに記載の電線保護具。
【請求項６】
前記支持部に対して前記第２の電線が配設される領域を挟んで対向する可撓性を有する部分であり、前記支持部における前記第２の電線が沿う面から離れる方向への前記第２の電線の位置ずれを制限する第２の規制部がさらに形成されている、請求項１から請求項５のいずれかに記載の電線保護具。
【請求項７】
当該電線保護具を構成する前記２つの絶縁部材は同じ形状で形成されている、請求項１から請求項６のいずれかに記載の電線保護具。
【請求項８】
第１の電線と
前記第１の電線の中間部に接合された第２の電線と、
前記第１の電線及び前記第２の電線の接合部を挟み込んで組み合わされた２つの絶縁部材からなり、前記第２の電線が引っ掛けられ前記第２の電線を外縁に沿って折り返された状態で支持する支持部が形成された電線保護具を備えることを特徴とするワイヤハーネス。
【発明の詳細な説明】
【技術分野】
【０００１】
本発明は、電線の中間部に存在する電線の接合部を保護する電線保護具及びそれを備えたワイヤハーネスに関する。
【背景技術】
【０００２】
自動車などの車両に搭載されるワイヤハーネスは、幹線を構成する第１の電線の中間部と、枝線を構成する第２の電線の一部とが接合された構造を有することがある。例えば、特許文献１には、第１の電線の中間部と第２の電線の端部とが、それらに圧着される圧着部材により接合された構造を有するワイヤハーネスが示されている。
【０００３】
また、ワイヤハーネスにおける電線の接合部は、被覆されることによって保護される必要がある。例えば、特許文献１に示されるワイヤハーネスにおいて、電線の接合部は、絶縁テープが巻き付けられることによって保護されている。
【先行技術文献】
【特許文献】
【０００４】
【特許文献１】特開平５−１０１８６５号公報
【発明の概要】
【発明が解決しようとする課題】
【０００５】
ところで、昨今、車両に搭載されるワイヤハーネスにおいて、軽量化及びコスト低減のため、より細い電線の採用が望まれている。しかしながら、２本の細い電線が圧着部材などによって接合される場合、電線の接合強度を十分に確保することが難しく、電線に加わる引っ張り力によって電線の接合が外れやすいという問題が顕在化する。そのことが、細い電線の採用によるワイヤハーネスの軽量化及びコスト低減の支障となっている。
【０００６】
例えば、特許文献１に示されるように、絶縁テープが電線の接合部に巻き付けられた場合、枝線に加わる引っ張り力は、ほぼそのまま電線の接合部にも加わってしまうため、電線の接合が外れやすい。
【０００７】
また、特許文献１に示されるワイヤハーネスにおいて、仮に、枝線が、接合部における枝線の分岐方向に対して反対の方向へ折り返して配線された場合、枝線に加わる引っ張り力の大部分は、絶縁テープが巻かれた部分の端部に作用する。そのため、電線の接合部に加わる力は緩和される。しかしながら、枝線が、絶縁テープが巻かれた部分の端部で鋭角に折れ曲がるため、枝線の破損が生じやすい。
【０００８】
本発明は、電線の中間部に存在する枝線との接合部を絶縁体で保護でき、さらに、枝線に加わる引っ張り力により電線の接合が外れる不都合を回避できることを目的とする。
【課題を解決するための手段】
【０００９】
本発明に係る電線保護具は、第１の電線及び第１の電線の中間部に接合された第２の電線を備えたワイヤハーネスに取り付けられ、第１の電線及び第２の電線の接合部を保護する用具である。そして、本発明に係る電線保護具は、第１の電線及び第２の電線の接合部を挟み込んで組み合わされる２つの絶縁部材からなる。さらに、本発明に係る電線保護具には、第２の電線が引っ掛けられ第２の電線を外縁に沿って折り返された状態で支持する支持部が形成されている。
【００１０】
また、本発明に係る電線保護具において、支持部における第２の電線が沿う外縁が、全ての角が鈍角である多角形の各角部を形成することが望ましい。そのような支持部は、例えば、全ての角が鈍角である多角形の各角部を形成する複数の単位支持部からなる。
【００１１】
また、本発明に係る電線保護具において、２つの絶縁部材を組み合わされた状態で保持するロック部がさらに形成されていることが望ましい。
【００１２】
また、本発明に係る電線保護具において、支持部の端から外側への第２の電線の位置ずれを制限する第１の規制部がさらに形成されていることが望ましい。この第１の規制部は、支持部の両端部から第２の電線が配設される領域の両側を遮って張り出して形成される。
【００１３】
また、本発明に係る電線保護具において、支持部における第２の電線が沿う面から離れる方向への第２の電線の位置ずれを制限する第２の規制部がさらに形成されていることが考えられる。この第２の規制部は、支持部に対して第２の電線が配設される領域を挟んで対向する可撓性を有する部分である。
【００１４】
また、本発明に係る電線保護具を構成する２つの絶縁部材は、同じ形状で形成されていることが望ましい。
【００１５】
また、本発明は、以上に示した第１の電線及び第２の電線と、それらの電線に取り付けられた本発明に係る電線保護具とを備えるワイヤハーネスの発明として捉えられても良い。
【発明の効果】
【００１６】
本発明において、第１の電線は幹線を構成し、第２の電線は枝線を構成する。本発明において、枝線は、支持部の外縁に沿って、接合部における幹線からの分岐方向に対して少なくとも１回以上折り返される。そのため、枝線に加わる引っ張り力の大部分は、支持部に作用し、接合部に加わる力は大幅に緩和される。従って、細い電線が、幹線及び枝線として採用された場合でも、電線の接合が外れにくい。
【００１７】
また、本発明において、枝線は、支持部の外縁に沿って折り返される。そのため、支持部の外縁の形状が比較的曲率の小さな形状であれば、枝線が支持部に沿う部分で鋭角に折れ曲がって破損することは防止される。
【００１８】
しかも、当該電線保護具を構成する２つの絶縁部材は、幹線の中間部に存在する枝線との接合部を、その両側から挟み込むことによって保護する。即ち、本発明に係る電線保護具は、電線の接合部を電気的に絶縁して保護する保護機能と、枝線に加わる引っ張り力に応じて電線の接合部に加わる力を緩和する外力緩和機能とを備える。従って、本発明に係る電線保護具が採用された場合、保護機能を実現する部材と外力緩和機能を実現する部材とを個別に取り付ける必要がなく、ワイヤハーネス作製の工程を簡素化できる。
【００１９】
ところで、本発明において、枝線が支持部に対して滑りやすいと、接合部に加わる力を緩和する効果が低減する。そのため、本発明において、支持部における枝線が沿う外縁が、全ての角が鈍角である多角形の各角部を形成していれば好適である。この場合、枝線は、支持部に沿う部分において、曲げ部と直線部とが順次連続する状態で折り返される。そのため、枝線の曲げ部における支持部に対する摩擦抵抗が大きくなり、枝線は、支持部に対して滑りにくい。その結果、接合部に加わる力が、より確実に緩和される。
【００２０】
また、本発明において、支持部が、全ての角が鈍角である多角形の各角部を形成する複数の単位支持部で構成されていればなお好適である。この場合、接合部に加わる力がより確実に緩和されるとともに、電線保護具の軽量化の効果も得られる。
【００２１】
また、本発明に係る電線保護具が、ロック部をさらに備えていれば、電線保護具を電線に取り付ける作業が簡素化される。即ち、２つの絶縁部材を組み合わされた状態で固定するために、粘着テープを巻き付ける又は溶着するなどの煩雑な作業が不要となる。
【００２２】
また、電線保護具に第１の規制部が形成されていれば、枝線が、支持部に沿って位置づれし、支持部の端からその外側へ外れることを防止できる。また、電線保護具に第２の規制部が形成されていれば、枝線の張力が緩んだときに、枝線が支持部から外れることを防止できる。
【００２３】
当該電線保護具を構成する２つの絶縁部材が同じ形状で形成されていれば、部材の種類が少なくなり、電線保護具の製造工程及び電線保護具を電線に取り付ける工程が簡素化される。
【図面の簡単な説明】
【００２４】
【図１】本発明の第１実施形態に係るワイヤハーネス１の３面図である。
【図２】ワイヤハーネス１の縦断面図である。
【図３】ワイヤハーネス１の横断面図である。
【図４】本発明の第１実施形態に係る電線保護具１０の３面図である。
【図５】電線保護具１０を構成する分割部材の３面図である。
【図６】本発明の第２実施形態に係る電線保護具１０Ａを構成する分割部材の３面図である。
【図７】本発明の第３実施形態に係るワイヤハーネス１Ｂの縦断面図である。
【発明を実施するための形態】
【００２５】
以下、添付の図面を参照しながら、本発明の実施形態について説明する。以下の実施形態は、本発明を具体化した一例であり、本発明の技術的範囲を限定する事例ではない。
【００２６】
＜第１実施形態＞
まず、図１から図５を参照しつつ、本発明の第１実施形態に係るワイヤハーネス１及び電線保護具１０の構成について説明する。図１に示されるように、ワイヤハーネス１は、幹線を形成する第１の電線９１と、枝線を形成する第２の電線９２と、圧着部材８と、電線保護具１０とを備えている。電線保護具１０は、相互に組み合わされた２つの分割部材１００で構成されている。
【００２７】
図１（ａ）はワイヤハーネス１の正面図、図１（ｂ）はワイヤハーネス１の側面図、図１（ｃ）はワイヤハーネス１の平面図である。図１、図４及び図５において、電線保護具１０の隠れ線は、破線で描かれている。また、便宜上、図１において、第１の電線９１、第２の電線９２及び圧着部材８は二点鎖線で描かれている。さらに、図１（ａ）において、第１の電線９１、第２の電線９２及び圧着部材８を表す線は、隠れ線も含めて二点鎖線で描かれている。また、図２は、図１に示されるＤ−Ｄ平面の断面図（縦断面図）であり、図３は、図１に示されるＥ−Ｅ平面の断面図（横断面図）である。
【００２８】
＜電線及び圧着部材＞
第１の電線９１及び第２の電線９２は、銅又はアルミニウムを主成分とする導体からなる芯線と、その芯線の周囲を覆う絶縁被覆と、により構成された絶縁電線である。第１の電線９１は、その中間部の一部において絶縁被覆が剥がれており、第２の電線９２は、その端部において絶縁被覆が剥がれている。
【００２９】
そして、第２の電線９２の端部の芯線は、第１の電線９１の中間部の芯線に対して圧着部材８により接合されている。図２及び図３に示されるように、圧着部材８は、第１の電線９１の中間部の芯線と第２の電線９２の端部の芯線とを束ねる状態で両芯線に対してかしめられている。これにより、第２の電線９２の端部は、第１の電線９１の中間部に対して接合され、第２の電線９２は、幹線を形成する第１の電線９１の中間部から枝分かれした枝線を形成する。以下、第１の電線９１及び第２の電線９２における圧着部材８で接合された部分及びその圧着部材８のことを接合部８０と称する。
【００３０】
＜電線保護具＞
電線保護具１０は、接合された第１の電線９１及び第２の電線９２における接合部８０に取り付けられ、接合部８０を保護する用具である。電線保護具１０は、第１の電線９１及び第２の電線９２における接合部８０をその両側から挟み込んで組み合わされる２つの分割部材１００からなる。
【００３１】
２つの分割部材１００は、例えば、ポリアミド（ＰＡ）、ポリプロピレン（ＰＰ）、ポリブチレンテレフタレート（ＰＢＴ）又はＡＢＳ樹脂などの絶縁性の樹脂からなる一体成形部材である。本実施形態では、電線保護具１０を構成する２つの分割部材１００は同じ形状で形成されている。
【００３２】
図１から図５に示されるように、電線保護具１０は、２つの電線挟持部２０と、それらを連結する連結部３０とにより構成されている。また、電線挟持部２０には、支持部１１と、鍔部１２と、起立部１３と、ロック用突起部１４と、ロック用孔１５と、位置決め用突起部１６と、位置決め用穴１７とが形成されている。
【００３３】
＜電線保護具：支持部＞
支持部１１は、第２の電線９２が引っ掛けられ、その第２の電線９２を支持する部分であるとともに、接合部８０を収容する部分でもある。支持部１１は、２つの分割部材１００各々に２分割されて形成された２つの部分が組み合わされた構造を有している。図５に示される支持部１１は、組み合わされる２つの部分のうちの一方である。
【００３４】
図２に示されるように、支持部１１は、第２の電線９２が引っ掛けられることにより、第２の電線９２を外縁に沿って折り返された状態で支持する。本実施形態においては、支持部１１における前記第２の電線９２が沿う外縁は、正八角形の角部を形成している。そのため、第２の電線９２における支持部１１に支持された部分は、正八角形の各辺に沿う状態で折れ曲がる。なお、正八角形は、全ての角が鈍角である多角形の一例である。
【００３５】
また、支持部１１は、第１の電線９１の通路となる貫通孔１１１が形成されており、その貫通孔１１１の一部が、接合部８０を収容する収容部１１２となっている。収容部１１２は、接合部８０が嵌り込む形状で形成されている。収容部１１２の一部は、接合部８０の角部、即ち、圧着部材８の角部に引っ掛かることにより、接合部８０が収容部１１２から抜け出る方向への動くことを妨げる。
【００３６】
また、電線保護具１０は、間隔を空けて配置された２つの支持部１１を備える。そのため、電線保護具１０は、図２に示されるように、第２の電線９２を、一方の支持部１１で一回折り返した後、他方の支持部１１で再度折り返した状態で支持することができる。そのため、第２の電線９２を、接合部８０における分岐方向と同じ方向へ分岐させることができる。もちろん、電線保護具１０は、一方の支持部１１のみを用いることにより、第２の電線９２を、接合部８０における分岐方向に対して反対の方向へ分岐させることもできる。
【００３７】
＜電線保護具：鍔部＞
鍔部１２は、支持部１１の端から外側への第２の電線９２の位置ずれを制限する部分である。鍔部１２は、その機能を果たすため、支持部１１の両端部から第２の電線９２が配設される領域１１３の両側を遮って張り出して形成されている。本実施の形態では、鍔部１２は、支持部１１の周囲の全方向に亘って張り出したフランジ状に形成されている。しかしながら、鍔部１２は、支持部１１の周囲の全方向における一部の方向にのみ張り出した形状で形成されてもよい。
【００３８】
また、本実施の形態において、２つの電線挟持部２０を繋ぐ連結部３０は、２つの電線挟持部２０各々の鍔部１２に連なって形成されている。
【００３９】
＜電線保護具：起立部＞
起立部１３は、鍔部１２の内側の面に起立して形成され、支持部１１に対して第２の電線９２が配設される領域１１３を挟んで対向する可撓性を有する部分である。この起立部１３は、支持部１１における第２の電線９２が沿う面から離れる方向への第２の電線９２の位置ずれを制限する。即ち、起立部１３は、第２の電線９２の張力が緩んだときに第２の電線９２が支持部１１から浮き上がることを防止する。
【００４０】
また、起立部１３は、板状に形成されているため、第２の電線９２が外側から内側の領域１１３へ押し入れられると撓む。起立部１３が一時的に撓むことにより、起立部１３の外側から内側への第２の電線９２の挿入経路が形成される。
【００４１】
＜電線保護具：ロック機構及び位置決め機構＞
図５に示されるように、分割部材１００には、２つの電線挟持部２０各々の半分を構成する第１分割挟持部２０１と第２分割挟持部２０２とが形成されている。第１分割挟持部２０１と第２分割挟持部２０２とは、一部の形状が異なる。第１分割挟持部２０１には、ロック用突起部１４と位置決め用突起部１６とが形成されている。一方、第２分割挟持部２０２には、ロック用孔１５と位置決め用穴１７とが形成されている。ロック用孔１５は貫通孔である。一方、位置決め用穴１７は窪み状の穴である。なお、第１分割挟持部２０１と第２分割挟持部２０２とにおいて、その他の構成要素は同じである。
【００４２】
２つの分割部材１００が正しい向き及び位置関係で相互に押し付けられると、一方の分割部材１００の位置決め用突起部１６が、他方の分割部材１００の位置決め用穴１７に嵌り込む。これにより、２つの分割部材１００は、相互に離間する方向以外の方向における相対的な位置が固定される。即ち、位置決め用突起部１６及び位置決め用穴１７は、２つの分割部材１００の相対的な位置を固定する位置決め機構を構成する。
【００４３】
また、２つの分割部材１００が、正しい向き及び位置関係で相互に押し付けられると、一方の分割部材１００のロック用突起部１４が、他方の分割部材１００のロック用孔１５を貫通する。さらに、ロック用突起部１４の先端において側方に張り出して形成された爪部１４１が、電線挟持部２０の外側の面におけるロック用孔１５の縁部に引っ掛かる。これにより、２つの分割部材１００は、組み合わされた状態で保持される。即ち、ロック用突起部１４及びロック用孔１５は、２つの分割部材１００を組み合わされた状態で保持するロック機構を構成する。
【００４４】
また、位置決め機構において、位置決め用突起部１６と位置決め用穴１７との間にあそびは設けられていない。そのため、位置決め機構は、２つの分割部材１００をガタ無く位置決めする。そのため、ロック機構に多少のあそびが設けられていても、組み合わされた２つの分割部材１００がガタつくことがない。
【００４５】
＜効果＞
ワイヤハーネス１において、第１の電線９１は幹線を構成し、第２の電線９２は枝線を構成する。第２の電線９２は、支持部１１の外縁に沿って、接合部８０における第１の電線９１からの分岐方向に対して少なくとも１回以上折り返される。
【００４６】
そのため、第１の電線９１に加わる引っ張り力の大部分は、支持部１１に作用し、接合部８０に加わる力は大幅に緩和される。従って、細い電線が、第１の電線９１及び第２の電線９２として採用された場合でも、接合部８０の接合が外れにくい。
【００４７】
また、第２の電線９２線は、支持部１１の外縁に沿って折り返される。そのため、支持部１１の外縁の形状が比較的曲率の小さな形状であれば、第２の電線９２が支持部１１に沿う部分で鋭角に折れ曲がって破損することは防止される。
【００４８】
しかも、電線保護具１０を構成する２つの分割部材１００は、第１の電線９１の中間部に存在する第２の電線９２との接合部８０を、その両側から挟み込むことによって保護する。
【００４９】
即ち、電線保護具１０は、接合部８０を電気的に絶縁して保護する保護機能と、第２の電線９２に加わる引っ張り力に応じて接合部８０に加わる力を緩和する外力緩和機能とを備える。従って、電線保護具１０が採用された場合、保護機能を実現する部材と外力緩和機能を実現する部材とを個別に取り付ける必要がなく、ワイヤハーネス１作製の工程を簡素化できる。
【００５０】
ところで、ワイヤハーネス１において、第２の電線９２が支持部１１に対して滑りやすいと、接合部８０に加わる力を緩和する効果が低減する。そのため、電線保護具１０においては、支持部１１における第２の電線９２が沿う外縁が、全ての角が鈍角である多角形の各角部を形成している。そのため、第２の電線９２は、支持部１１に沿う部分において、曲げ部と直線部とが順次連続する状態で折り返される。そのため、第２の電線９２の曲げ部における支持部１１に対する摩擦抵抗が大きくなり、第２の電線９２は、支持部１１に対して滑りにくい。その結果、接合部８０に加わる力が、より確実に緩和される。
【００５１】
また、電線保護具１０は、ロック用突起部１４及びロック用孔１５からなるロック機構を備えている。そのため、電線保護具１０を電線に取り付ける作業が簡素化される。即ち、２つの分割部材１００を組み合わされた状態で固定するために、粘着テープを巻き付ける又は溶着するなどの煩雑な作業が不要となる。
【００５２】
また、電線保護具１０において、鍔部１２が形成されているため、第２の電線９２が、支持部１１に沿って位置づれして支持部１１の端からその外側へ外れることを防止できる。さらに、電線保護具１０に起立部１３が形成されているため、第２の電線９２の張力が緩んだときに、第２の電線９２が支持部１１から外れることを防止できる。
【００５３】
また、電線保護具１０を構成する２つの分割部材１００が同じ形状で形成されているため、部材の種類が少なくなり、電線保護具１０の製造工程及び電線保護具１０を電線に取り付ける工程が簡素化される。
【００５４】
＜第２実施形態＞
次に、図６を参照しつつ、本発明の第２実施形態に係る電線保護具１０Ａについて説明する。電線保護具１０Ａは、図１から図５に示された電線保護具１０と比較して、第２の電線９２を支持する支持部の構成のみが異なる。図６において、図１から図５に示される構成要素と同じ構成要素は、同じ参照符号が付されている。以下、電線保護具１０Ａにおける電線保護具１０と異なる点についてのみ説明する。
【００５５】
図６は、電線保護具１０Ａを構成する分割部材１００Ａの３面図である。電線保護具１０Ａを構成する２つの分割部材１００Ａも、電線保護具１０を構成する２つの分割部材１００と同様に、同じ形状で形成されている。
【００５６】
また、図６に示されるように、電線保護具１０Ａの支持部１１Ａも、電線保護具１０の支持部１１と同様に、第２の電線９２が引っ掛けられることにより、第２の電線９２を外縁に沿って折り返された状態で支持する。さらに、支持部１１における前記第２の電線９２が沿う外縁は、正八角形の角部を形成している。
【００５７】
しかしながら、電線保護具１０Ａの支持部１１Ａは、正八角形の角部を形成する８つの単位支持部１１０Ａ，１１０Ｂで構成されている。図６に示される例では、支持部１１Ａは、４つの第１の単位支持部材１１０Ａと、４つの第２の単位支持部材１１０Ｂとで構成されている。４つの第１の単位支持部材１１０Ａは、電線保護具１０の支持部１１と同様に、その内側に接合部８０を収容する収容部１１２を形成している。
【００５８】
一方、４つの第２の単位支持部材１１０Ｂは、引っ掛けられた第２の電線９２を支持する機能のみを果たす。
【００５９】
＜効果＞
図６に示される電線保護具１０Ａが採用されることにより、電線保護具１０が採用される場合と同じ効果が得られ、さらに、電線保護具１０Ａの軽量化の効果も得られる。
【００６０】
＜第３実施形態＞
次に、図７を参照しつつ、本発明の第３実施形態に係るワイヤハーネス１Ｂについて説明する。ワイヤハーネス１Ｂは、本発明の第３実施形態に係る電線保護具１０Ｂを備える。電線保護具１０Ｂは、図１から図５に示された電線保護具１０と比較して、第２の電線９２を支持する部分の数のみが異なる。図７において、図１から図５に示される構成要素と同じ構成要素は、同じ参照符号が付されている。以下、電線保護具１０Ｂにおける電線保護具１０と異なる点についてのみ説明する。
【００６１】
図７は、ワイヤハーネス１Ｂの縦断面図であり、その断面は、図２に示されるワイヤハーネス１の断面図が示すＤ−Ｄ断面に相当する。
【００６２】
図７に示されるように、電線保護具１０Ｂは、第１の電線挟持部２０Ｂと第２の電線挟持部２０とそれらを連結する連結部３０とを有する。第２の電線挟持部２０及び連結部３０は、電線保護具１０の電線挟持部２０及び連結部３０と同じである。
【００６３】
一方、電線保護具１０Ｂにおける第１の電線挟持部２０Ｂは、電線保護具１０における一方の電線挟持部２０から、鍔部１２及び起立部１３が除かれた構造を有している。即ち、第１の電線挟持部２０Ｂに形成された支持部１１Ｂは、その内側に接合部８０を収容する収容部１２が形成されているが、外縁に沿って第２の電線９２を支持する機能は備えていない。
【００６４】
一方、第２の電線挟持部２０は、外縁に沿って第２の電線９２を支持する機能を有している。従って、電線保護具１０Ｂは、図７に示されるように、第２の電線９２を、第２の電線挟持部２０の支持部１１で一回折り返す状態で支持することができる。
【００６５】
また、図示されていないが、第２の電線９２が第２の電線挟持部２０の支持部１１に巻き付けられることにより、電線保護具１０Ｂは、第２の電線９２を二回以上折り返す状態で支持することもできる。図７に示されるようなワイヤハーネス１も、本発明の実施形態の一つである。
【００６６】
＜その他＞
電線保護具１０，１０Ａ，１０Ｂにおいて、支持部１１，１１Ａの外縁は、正八角形の角部を形成しているが、それ以外の多角形の各角部を形成してもよい。但し、第２の電線９２が鋭角に折れ曲がることを避けるため、支持部１１，１１Ａの外縁は、全ての角が鈍角である多角形の各角部を形成することが望ましい。
【００６７】
また、電線保護具１０，１０Ａにおいて、支持部１１，１１Ａと第２の電線９２との間の摩擦抵抗が十分高い場合には、支持部１１，１１Ａの外縁が、円又は楕円などの湾曲した形成で形成されてもよい。例えば、支持部１１，１１Ａの外縁部分に、第２の電線９２に対する摩擦抵抗を高めるための凹凸が設けられることなどが考えられる。
【符号の説明】
【００６８】
１，１Ｂ  ワイヤハーネス
８  圧着部材
１０，１０Ａ，１０Ｂ  電線保護具
１１，１１Ａ，１１Ｂ  支持部
１２  鍔部
１２  収容部
１３  起立部
１４  ロック用突起部
１５  ロック用孔
１６  位置決め用突起部
１７  位置決め用穴
２０  電線挟持部（第２の電線挟持部）
２０Ｂ  第１の電線挟持部
３０  連結部
８０  接合部
９１  第１の電線
９２  第２の電線
１００，１００Ａ  分割部材
１１０Ａ，１１０Ｂ  単位支持部
１１１  貫通孔
１１２  収容部
１１３  第２の電線が配設される領域
１４１  爪部
２０１  分割挟持部
２０２  分割挟持部
【図１】
2013009547.tif 000003
【図２】
2013009547.tif 000004
【図３】
2013009547.tif 000005
【図４】
2013009547.tif 000006
【図５】
2013009547.tif 000007
【図６】
2013009547.tif 000008
【図７】
2013009547.tif 000009